(57)【要約】      （修正有）【課題】本考案は、糸巻機を電動化し電子カウンタ、フットコントローラー、セレクタスイッチを用い、回転を電気的に制御する、電動糸巻器を提供する。【解決手段】ＡＣモータを動力とした電動糸巻機とし、モータの回転数をモニタリングし、電子カウンタ５を用い、任意の回転数に到達すると自動で停止する機構とする。常時両手が使えるように、運転開始及び停止の制御をフットコントローラ７で行い、セレクタスイッチ６を設け、糸巻車１の右回転、左回転を可能にする。【選択図】図１
0003235101.tif 000002
【実用新案登録請求の範囲】
【考案の詳細な説明】
【登録請求の範囲】
【請求項１】
ＡＣモータを動力とした電動糸巻機である。モータ主軸に取り付けたカムの回転はフォトインタラプタセンサによりモニタリングされ、電子カウンタに入力される。電子カウンタでは計数値及び任意の設定値が表示されており、計数値が設定値に達するとその信号はリレーに出力され、モータは自動的に停止する機構とする。
【請求項２】
上述の電動糸巻機にはセレクタスイッチを設けており、リレーを介してモータの右回転、左回転、中立（停止）を制御する機能を有するものとする。
【技術分野】
【０００１】  本考案は、一般的に使用されている糸巻機を電動化し電子カウンタ、フットコントローラー、セレクタスイッチを用い、回転を電気的に制御するものである。
【背景技術】
【０００２】  内職でも使用されている手動糸巻機を電動化し効率化を図る。作業を簡素化し障がい者の参入の助けとする。
【考案が解決しようとする課題】
【０００３】  １．糸巻の長時間繰り返し作業により疲労蓄積。特に腕の不調が発生。
２．任意の糸長にする際に回転数の数え間違いが発生。糸の巻き取り本数を再度数える手間が発生。回転数の誤りに気付かず作業続行してしまう。
３．作業効率や絡まりなどの問題発生を考慮すると、即座に停止、再回転が可能で両手が使える状態が望ましい。
設置環境や使用者により、左右どちらからでも糸送りが可能であることが望ましく、糸巻車の左右回転の切り替えが必要
【課題を解決するための手段】
【０００４】  １．ＡＣモータを動力とした電動糸巻機とする。
２．センサでモータの回転数をモニタリングし、電子カウンタを用い、任意の回転数に到達すると自動で停止する機構とする。
３．常時両手が使えるように、運転開始及び停止の制御をフットコントローラで行うこととする。
４．セレクタスイッチを設け、糸巻車の右回転、左回転を可能にする。
【考案の効果】
【０００５】  上述の様に、本考案の自動停止機能付き電動糸巻機は連続作業による肉体疲労や人為的なミスを軽減することができる。さらに即座に運転停止、再回転を可能にした結果、トラブル対応を容易にし、安全な運用に繋がる。また糸巻車の週回転切り替え機能により状況にあった使用が見込める。
総じて作業が簡素化され作業の効率化が実現し、内職などで糸巻に携わる方の負担軽減になるものであり、さらに障がい者の参入希望の声があり、これの助力となるものである。
【図面の簡単な説明】
【０００６】
【図１】本考案の実施例の全体構成を示す斜視図である。
【図２】本考案の動力部の正面図である。
【考案を実施するための形態】
【０００７】  動力電源を家庭用１００Ｖとし、糸巻車の回転動力をＡＣモータ（図２−８）とする。モータ主軸にシャフト（図２−９）を連結し、シャフトに木製糸巻車（図１−１）を装着し電動回転させる。
またモータ主軸反対側にはカム（図２−１０）を装着し、カムの回転数を近傍に設置したフォトインタラプタセンサ（図２−１１）でモニタリングし電子カウンタ（図１−５）に入力する。電子カウンタでは入力信号からモータ回転数の計数値が表示されており計数値が任意の設定値に達するとリレーを介して自動的にモータの回転を停止する機構とする。
モータの始動と停止は主電源スイッチとは別にフットコントローラ（図１−７）での制御を可能とする。フットコントローラでは、問題発生時に即座に停止できるよう電子カウンタによる自動停止よりも優先的にモータを制御可能とする。なおカウンタの設定値に未達成で停止した場合、停止前の測定値は継承され、再回転と共にカウントアップが開始されるものとする。
またモータの回転方向はセレクタスイッチ（図１−６）により制御し、右回転、左回転、中立（停止）を可能とする。
【実施例】
【０００８】    以下、添付図１に従って一実施例を説明する。１は木製の糸巻車であり２はこれにネジ止めされた糸留めである。先ず３の糸ガイドに糸を通し、２の糸留めに糸を挟み込み留める。４の主電源スイッチを入れ、糸の巻取り長さを決定するために５の電子カウンタに任意の回転数を入力する。続いて６のセレクタスイッチで回転方向を決める。７のフットコントローラで運転開始し、電子カウンタに入力した回転数に達すると自動停止する。糸を切断して糸車から取り外し作業が完了する。この後はフットコントローラを押す度に同一の運転が繰り返される。なお問題発生時などにフットコントローラによる運転停止が可能であり、カウンタの設定値に未達成で停止した場合、停止前の測定値は継承され、再回転と共にカウントアップが開始されるものとする。
【産業上の利用可能性】
【０００９】  本考案は上述の自動糸巻機を個人用に提供するものであり、内職などに使用されている手動糸巻機と比較して体への負担は軽減されている。操性も良く、一度回転数を決定した後はフットペダルで始動し自動停止を待つだけで、人為的な過誤も発生しにくい構造である。幅広い年齢層で使用でき、障がい者の内職参入も見込める。
更に、毛糸、織物産業への展開が見込まれ、糸巻機としての幅広い応用に期待できる。
【符号の説明】
【００１０】１  糸巻車
２  糸留め
３  糸ガイド
４  主電源スイッチ
５  電子カウンタ
６  セレクタスイッチ
７  フットコントローラ
８  ＡＳモータ
９  シャフト
１０  カム
１１  フォトインタラプタセンサ
【図１】
0003235101.tif 000003
【図２】
0003235101.tif 000004
【手続補正書】
【提出日】令和3年6月4日(2021.6.4)
【手続補正１】
【補正対象書類名】実用新案登録請求の範囲
【補正対象項目名】全文
【補正方法】変更
【補正の内容】
【実用新案登録請求の範囲】
【請求項１】
ＡＣモータを動力とした電動糸巻機である。モータ主軸に取り付けたカムの回転はフォトインタラプタセンサによりモニタリングされ、電子カウンタに入力される。電子カウンタでは計数値及び任意の設定値が表示されており、計数値が設定値に達するとその信号はリレーに出力され、モータは自動的に停止する機構とする。
【請求項２】
上述の電動糸巻機にはセレクタスイッチを設けており、リレーを介してモータの右回転、左回転、中立（停止）を制御する機能を有するものとする。
【手続補正２】
【補正対象書類名】明細書
【補正対象項目名】全文
【補正方法】変更
【補正の内容】
【考案の詳細な説明】
【技術分野】
【０００１】  本考案は、一般的に使用されている糸巻機を電動化し電子カウンタ、フットコントローラー、セレクタスイッチを用い、回転を電気的に制御するものである。
【背景技術】
【０００２】  内職でも使用されている手動糸巻機を電動化し効率化を図る。作業を簡素化し障がい者の参入の助けとする。
【先行技術文献】
【特許文献】
【０００３】
【特許文献１】実登３１２９５４４
【考案の概要】
【考案が解決しようとする課題】
【０００４】１．糸巻の長時間繰り返し作業により疲労蓄積。特に腕の不調が発生。
２．任意の糸長にする際に回転数の数え間違いが発生。糸の巻き取り本数を再度数える手間が発生。回転数の誤りに気付かず作業続行してしまう。
３．作業効率や絡まりなどの問題発生を考慮すると、即座に停止、再回転が可能で両手が使える状態が望ましい。
４．設置環境や使用者により、左右どちらからでも糸送りが可能であることが望ましく、糸巻車の左右回転の切り替えが必要。
【課題を解決するための手段】
【０００５】１．ＡＣモータを動力とした電動糸巻機とする。
２．センサでモータの回転数をモニタリングし、電子カウンタを用い、任意の回転数に到達すると自動で停止する機構とする。
３．常時両手が使えるように、運転開始及び停止の制御をフットコントローラで行うこととする。
４．セレクタスイッチを設け、糸巻車の右回転、左回転を可能にする。
【考案の効果】
【０００６】  上述の様に、本考案の自動停止機能付き電動糸巻機は連続作業による肉体疲労や人為的なミスを軽減することができる。さらに即座に運転停止、再回転を可能にした結果、トラブル対応を容易にし、安全な運用に繋がる。また糸巻車の週回転切り替え機能により状況にあった使用が見込める。
総じて作業が簡素化され作業の効率化が実現し、内職などで糸巻に携わる方の負担軽減になるものであり、さらに障がい者の参入希望の声があり、これの助力となるものである。
【図面の簡単な説明】
【０００７】
【図１】本考案の実施例の全体構成を示す斜視図である。
【図２】本考案の動力部の正面図である。
【考案を実施するための形態】
【０００８】  動力電源を家庭用１００Ｖとし、糸巻車の回転動力をＡＣモータ（図２−８）とする。モータ主軸にシャフト（図２−９）を連結し、シャフトに木製糸巻車（図１−１）を装着し電動回転させる。
またモータ主軸反対側にはカム（図２−１０）を装着し、カムの回転数を近傍に設置したフォトインタラプタセンサ（図２−１１）でモニタリングし電子カウンタ（図１−５）に入力する。電子カウンタでは入力信号からモータ回転数の計数値が表示されており計数値が任意の設定値に達するとリレーを介して自動的にモータの回転を停止する機構とする。
モータの始動と停止は主電源スイッチとは別にフットコントローラ（図１−７）での制御を可能とする。フットコントローラでは、問題発生時に即座に停止できるよう電子カウンタによる自動停止よりも優先的にモータを制御可能とする。なおカウンタの設定値に未達成で停止した場合、停止前の測定値は継承され、再回転と共にカウントアップが開始されるものとする。
またモータの回転方向はセレクタスイッチ（図１−６）により制御し、右回転、左回転、中立（停止）を可能とする。
【実施例】
【００９】  以下、添付図１に従って一実施例を説明する。１は木製の糸巻車であり２はこれにネジ止めされた糸留めである。先ず３の糸ガイドに糸を通し、２の糸留めに糸を挟み込み留める。４の主電源スイッチを入れ、糸の巻取り長さを決定するために５の電子カウンタに任意の回転数を入力する。続いて６のセレクタスイッチで回転方向を決める。７のフットコントローラで運転開始し、電子カウンタに入力した回転数に達すると自動停止する。糸を切断して糸車から取り外し作業が完了する。この後はフットコントローラを押す度に同一の運転が繰り返される。なお問題発生時などにフットコントローラによる運転停止が可能であり、カウンタの設定値に未達成で停止した場合、停止前の測定値は継承され、再回転と共にカウントアップが開始されるものとする。
【産業上の利用可能性】
【００１０】  本考案は上述の自動糸巻機を個人用に提供するものであり、内職などに使用されている手動糸巻機と比較して体への負担は軽減されている。操作性も良く、一度回転数を決定した後はフットペダルで始動し自動停止を待つだけで、人為的な過誤も発生しにくい構造である。幅広い年齢層で使用でき、障がい者の内職参入も見込める。
【符号の説明】
【００１１】１  糸巻車
２  糸留め
３  糸ガイド
４  主電源スイッチ
５  電子カウンタ
６  セレクタスイッチ
７  フットコントローラ
８  ＡＳモータ
９  シャフト
１０  カム
１１  フォトインタラプタセンサ
【手続補正書】
【提出日】令和3年8月25日(2021.8.25)
【手続補正１】
【補正対象書類名】実用新案登録請求の範囲
【補正対象項目名】全文
【補正方法】変更
【補正の内容】
【実用新案登録請求の範囲】
【請求項１】
ＡＣモータを動力とした電動糸巻機において、フォトインタラプタセンサでモニタリングしたモータ主軸に取り付けたカムの回転数を電子カウンタに入力し、この回転数が電子カウンタの任意の設定値に達するとリレーを介してモータを自動的に停止し、設定値に未到達でフットスイッチにより運転を停止した場合でも運転再開し設定値に達すると自動停止する機構を有する電動糸巻機。
【請求項２】
セレクタスイッチを設け、リレーを介してモータの右回転、左回転、中立（停止）を制御する機能を有する請求項１に記載の電動糸巻機。